(57)【要約】【課題】  非シール部を利用したフィルム剥離による開封を良好に行える収納袋を提供する。【解決手段】  表側フィルム２１の上辺に、裏側フィルム２２の上辺よりも上方に突出し、且つ、表側フィルム２１の非シール部２１ｂと連続した部分２１ａが帯状に設けられているので、該突出部分２１ａの非シール部近傍箇所に指先を引っ掛けて非シール部２１ｂを裏側フィルム２２の非シール部２２ａから容易に引き離すことができる。依って、重なり合った１対の非シール部２１ｂ，２２ａが湿気や汚れ等によって密着していても、また、視力が低下した老人や指先のあまり器用でない人であっても、非シール部２１ｂ及び２２ａとを指先で分離させる作業を簡単、且つ、瞬時に行うことができる。【選択図】  図７
2005138862.tif 000002
【特許請求の範囲】
【請求項１】
少なくとも２枚のフィルムを重ねて周囲を剥離可能な状態でシールすることにより構成され、シール領域の一部にフィルム相互が接合されていない剥離開封用の１対の非シール部を有する収納袋であって、
一方の非シール部を含むフィルムには、他方の非シール部を含むフィルムよりも外方に突出し、且つ、一方の非シール部と連続した部分が形成されている、
ことを特徴とする収納袋。
【請求項２】
外方に突出した部分は、一方の非シール部を含むフィルムの一辺に沿って帯状に設けられている、
ことを特徴とする請求項１に記載の収納袋。
【請求項３】
非シール部は、シール領域の一部に形成された湾曲凸部の端部に設けられている、
ことを特徴とする請求項１または２に記載の収納袋。
【請求項４】
シール領域には湾曲凸部と連続して湾曲凹部が設けられ、該湾曲凹部が設けられた部分のシール幅が他の部分よりも狭くなっている、
ことを特徴とする請求項３に記載の収納袋。
【発明の詳細な説明】
【技術分野】
【０００１】
本発明は、食品等を収納するための収納袋に関し、特に、イージーピールオープン機能を有する収納袋に関する。
【背景技術】
【０００２】
図１はイージーピールオープン機能を有する従来の収納袋を示す。同図に示した収納袋１０は、２枚の矩形状プラスチックフィルム１１を重ね合わせてその４辺に所定幅でヒートシール（１２ａ〜１２ｄは上下左右辺のシール部を示す）を施すことにより構成されており、各シール部１２ａ〜１２ｄは剥離可能な状態でシール（接合）されている。また、左辺シール部１２ｃと右辺シール部１２ｄの上部それぞれには切り取り開封用のＶ字状ノッチ（切り欠き）１３が対向して設けられ、左下角部にはフィルム相互が接合されていない剥離開封用の１対の非シール部１１ａが設けられている。
【０００３】
この収納袋１０にあっては、図２（Ａ）に示すように、ノッチ１３に沿って上辺部分を切り取って開封することによって、該開封口から収納袋１０内に収納されている内容物Ｃを取り出することができる。また、図２（Ｂ）に示すように、１対の非シール部１１ａをそれぞれ指先で摘んでシール部１２ｂ及び１２ｃの接合強度に勝る力で一方のフィルム１１を他方のフィルム１１から剥離させて開封することによって、該開封口から収納袋１０内の底に残っている内容物Ｃを取り出すことができる。
【特許文献１】特開２００３−１６０１４５号公報
【発明の開示】
【発明が解決しようとする課題】
【０００４】
後者のフィルム剥離による開封を行うには重なり合った１対の非シール部１１ａを指先で分離させる初期作業が必要となるが、前記フィルムには一般には厚さが５０μｍ前後の極めて薄いものが使用されているため、視力が低下した老人や指先のあまり器用でない人が前記初期作業を行うことは極めて難しい。特に、重なり合った１対の非シール部１１ａが湿気や汚れ等によって密着していると、指先の器用な人であっても前記初期作業を行うことは難しく、且つ、時間を要する。
【０００５】
本発明は前記事情に鑑みて創作されたもので、その目的とするところは、非シール部を利用したフィルム剥離による開封を良好に行える収納袋を提供することにある。
【課題を解決するための手段】
【０００６】
前記目的を達成するため、本発明は、少なくとも２枚のフィルムを重ねて周囲を剥離可能な状態でシールすることにより構成され、シール領域の一部にフィルム相互が接合されていない剥離開封用の１対の非シール部を有する収納袋であって、一方の非シール部を含むフィルムには、他方の非シール部を含むフィルムよりも外方に突出し、且つ、一方の非シール部と連続した部分が形成されている、ことをその特徴とする。
【０００７】
この収納袋によれば、一方の非シール部を含むフィルムに、他方の非シール部を含むフィルムよりも外方に突出し、且つ、一方の非シール部と連続した部分が形成されているので、該突出部分の非シール部近傍箇所に指先を引っ掛けて一方の非シール部を他方の非シール部から容易に引き離すことができ、１対の非シール部を指先で分離させる作業を簡単、且つ、瞬時に行うことができる。
【発明の効果】
【０００８】
本発明によれば、１対の非シール部を指先で分離させる作業を簡単、且つ、瞬時に行うことができ、これにより非シール部を利用したフィルム剥離による開封を良好に行うことができる。
【０００９】
本発明の前記目的とそれ以外の目的と、構成特徴と、作用効果は、以下の説明と添付図面によって明らかとなる。
【発明を実施するための最良の形態】
【００１０】
図３〜図８は本発明の第１実施形態に係るもので、図３は収納袋を表面側から見た図、図４は図３に示した収納袋を裏面側から見た図、図５は図３及び図４に示した収納袋の非シール部の斜視図、図６は図３及び図４に示した収納袋の製造方法の説明図、図７と図８は図３及び図４に示した収納袋の剥離開封の説明図である。以下の説明では、図３における上側を上、下側を下、左側を左、右側を右と表記する。
【００１１】
まず、図３〜図５を参照して収納袋の構成について説明する。
【００１２】
この収納袋２０は、略矩形状の表側フィルム２１と裏側フィルム２２とを重ね合わせてその４辺に所定幅でヒートシール（２３ａ〜２３ｄは上下左右辺のシール部を示す）を施すことにより構成されており、各シール部２３ａ〜２３ｄは剥離可能な状態、詳しくは指先の力で剥離可能な強度でシール（接合）されている。４辺それぞれのシール部２３ａ〜２３ｄの幅寸法は約１５ｍｍで基本的に同じであるが、左辺シール部２３ｃの湾曲凹部２０ａが形成された部分のシール幅は約７ｍｍで他の部分よりも狭くなっている。シール幅寸法として記した前記数値はあくまでも一例であって、該シール幅寸法は収納袋２０の大きさや内容物Ｃの種類等に応じて適宜増減して構わないし、左辺シール部２３ｃに設けたシール幅の狭い部分の寸法も他の部分の１／２程度であればよいが他の部分の幅寸法よりも小さければ用を成す。
【００１３】
因みに、両フィルム２１，２２には、イージーピールフィルム等から成る易剥離性のシール層を最内層に有しシール層以外の層にプラスチックフィルム等から成る少なくとも１つの層を有する積層フィルム材が使用できるが、該積層フィルム材におけるイージーピール層以外の層構成は前記に限定されるものではなく、当該層構成は、例えば、プラスチックフィルムにアルミ蒸着やシリカ蒸着やアルミナ蒸着等を施したものから成る層や、アルミニウム箔や紙や不織布等から成る層を含むものであってもよい。
【００１４】
また、表側フィルム２１の上下長さは裏側フィルム２２の上下長さよりも２ｍｍ程度長く、これにより、表側フィルム２１の上辺には裏側フィルム２２の上辺よりも上方に突出した部分（突出部分２１ａ）が左右方向の帯状に形成されている。突出部分２１ａの突出寸法として記した前記数値はあくまでも一例であって、該突出寸法は収納袋２０の大きさや上辺シール部２３ａの幅寸法等に応じて適宜増減して構わない。
【００１５】
さらに、左辺シール部２３ｃの上部には湾曲凹部２０ａが形成され、その上側には湾曲凹部２０ａと連続した湾曲凸部２０ｂが形成されている。この湾曲凸部２０ｂはちょうど収納袋２０の左上角部に位置していて、その端部にフィルム相互が接合されていない剥離開封用の１対の非シール部２１ｂ，２２ａが設けられている。湾曲凸部２０ｂはその端縁が丸みを帯びた形状をしているため、その端部に設けられた各非シール部２１ｂ，２２ａの端縁もこれと同じ丸みを有する。また、先に述べたように表側フィルム２１の上辺には突出部分２１ａが帯状に設けられているので、表側フィルム２１の非シール部２１ｂの上端はこの突出部分２１ａと連続している。
【００１６】
さらに、左辺シール部２３ｃと右辺シール部２３ｄの下部それぞれには、切り取り開封用のＶ字状ノッチ（切り欠き）２４が対向して設けられている。
【００１７】
因みに、前記収納袋２０を製造するときには、図６に示すように、表側フィルム２１用のフィルム材Ｆと裏側フィルム２２用のフィルム材Ｆとを互いのシール層が向き合うように、且つ、収納袋２０の上下方向に相当する方向に所定長さＳだけずらした状態で重ね合わせた後、必要部分を所定幅でヒートシールし、カット位置ＣＬで分断し同時に湾曲凹部２０ａ及び湾曲凸部２０ｂを形成する方法が採用できる。勿論、他の製法によって前記の収納袋２０を製造することも可能である。
【００１８】
次に、図７及び図８を参照して前記収納袋のフィルム剥離による開封方法について説明する。
【００１９】
前記収納袋２０をフィルム剥離により開封するときには、図７に示すように、表側フィルム２１の上辺に設けられた帯状の突出部分２１ａの非シール部近傍箇所に指先ＦＴを引っ掛けて、非シール部２１ｂを裏側フィルム２２の非シール部２２ａから引き離し、非シール部２１ｂ及び２２ａを分離させる。
【００２０】
そして、分離された表側フィルム２１の非シール部２１ｂと裏側フィルム２２の非シール部２２ａをそれぞれ指先で摘み、図８に示すように、シール部２３ａ及び２３ｃの接合強度に勝る力で表側フィルム２１を裏側フィルム２２から剥離させて開封する。
【００２１】
開封口が適当な大きさとなったところで前記のフィルム剥離を停止すれば、該開封口から収納袋２０内の内容物Ｃを取り出すことができるし、収納袋２０を逆さにし前記開封口から内容物Ｃを落下させて取り出すこともできる。また、前記の剥離を継続して表側フィルム２１を裏側フィルム２２から完全に剥離するか、或いは、下辺シール部２３ｂのみが非剥離状態で残る位置まで表側フィルム２１を裏側フィルム２２から剥離すれば、収納袋２０内の内容物Ｃを余すことなく取り出すことができる。
【００２２】
勿論、収納袋２０には左辺シール部２３ｃと右辺シール部２３ｄの下部それぞれに切り取り開封用のノッチ２４が対向して設けられているので、収納袋２０を逆さにしてからノッチ２４に沿って下辺部分を切り取って開封することより、該開封口から収納袋２０内の内容物Ｃを取り出することもできる。
【００２３】
このように、第１実施形態に係る収納袋２０によれば、表側フィルム２１の上辺に、裏側フィルム２２の上辺よりも上方に突出し、且つ、表側フィルム２１の非シール部２１ｂと連続した部分２１ａが帯状に設けられているので、該突出部分２１ａの非シール部近傍箇所に指先を引っ掛けて非シール部２１ｂを裏側フィルム２２の非シール部２２ａから容易に引き離すことができる。
【００２４】
依って、重なり合った１対の非シール部２１ｂ，２２ａが湿気や汚れ等によって密着していても、また、視力が低下した老人や指先のあまり器用でない人であっても、非シール部２１ｂ及び２２ａとを指先で分離させる作業を簡単、且つ、瞬時に行うことができ、これにより、フィルム剥離による収納袋２０の開封を極めて良好に行うことができ、ひいては剥離開封に伴う前記作業の煩わしさを原因として生じ得る諸問題、例えば収納袋２０に食品等の商品を収容して販売する場合における商品及びメーカーのイメージ低下や商品の売り上げ低下等を一掃できる利点がある。
【００２５】
また、剥離開封用の非シール部２１ｂ及び２２ａが、収納袋２０の左上角部に設けられた湾曲凸部２０ｂの端部に設けられているので、非シール部２１ｂ及び２２ａの位置を視覚上で認識し易い。しかも、各非シール部２１ｂ，２２ａの端縁は湾曲凸部２０ｂと同じ丸みを有しているので、換言すれば図１に示したシール部１１ａのような尖った角が存しないので、前記の分離作業を行う際に指先に痛みや損傷を生じる心配もない。
【００２６】
さらに、非シール部２１ｂ及び２２ａをその端部に有する湾曲凸部２０ｂの下側には該湾曲凸部２０ｂと連続して湾曲凹部２０ａが設けられ、左辺シール部２３ｃの該湾曲凹部２０ａが設けられた部分のシール幅が他の部分よりも狭くなっているので、換言すれば左辺シール部２３ｃのシール幅の狭い部分は他の部分よりも剥離し易くなっているので、非シール部２１ｂ及び２２ａの分離作業後に表側フィルム２１を裏側フィルム２２から剥離し始めるときに必要な力を低減させてその後のフィルム剥離をスムースに行うことができる。シール部２３ａ及び２３ｃのシール幅全体を狭くすれば同様の作用効果が期待できるが、このようにするとシール部２３ａ及び２３ｃの接合強度が低下して不慮の開封や自然開封等の問題を生じる恐れがあるため、ここではシール幅の狭い部分を左辺シール部２３ｃの一部にのみ形成して接合強度の低下を極力抑制している。
【００２７】
図９及び図１０は本発明の第２実施形態に係るもので、図９は収納袋を表面側から見た図、図１０は図９に示した収納袋を裏面側から見た図である。
【００２８】
この第２実施形態に係る収納袋２０-1が前述の第１実施形態に係る収納袋２０と異なるところは、表側フィルム２１の上辺に非シール部２１ｂと連続するように部分的に突出部分２１ａ-1を設けた点にある。他の構成は第１実施形態に係る収納袋２０と同じであるためその説明を省略する。
【００２９】
この第２実施形態に係る収納袋２０-1によれば、表側フィルム２１の上辺全体ではなく非シール部２１ｂの近傍部分にのみ該非シール部２１ｂと連続するように部分的に突出部分２１ａ-1を設けてあるので、この突出部分２１ａ-1が目印となって非シール部２１ｂ及び２２ａの位置を視覚上でより認識し易くなる利点がある。他の作用効果は第１実施形態に係る収納袋２０で得られる作用効果と同じである。
【００３０】
図１１（Ａ）には突出部分２１ｂ-2の左右寸法を前記突出部分２１ａ-1の１／２程度としたものを示し、図１１（Ｂ）には突出部分２１ｂ-3の左右寸法を非シール部２１ｂの上端幅に整合する程度に小さくしたものを示してあるが、このような構成を採用しても第２実施形態に係る収納袋２０-1と同様の作用効果を得ることができる。
【００３１】
図１２は本発明の第３実施形態に係るもので、図１２は収納袋の斜視図である。
【００３２】
この第３実施形態に係る収納袋２０-2が前述の第１実施形態に係る収納袋２０と異なるところは、底フィルム２５の周囲を表側フィルム２１と裏側フィルム２２の両方の下部にヒートシール（２３ｂ’は下辺シール部を示す）することによってスタンディングパウチを構成した点にある。他の構成は第１実施形態に係る収納袋２０と同じであるためその説明を省略する。
【００３３】
この第３実施形態に係る収納袋２０-2によっても第１実施形態に係る収納袋２０と同じ作用効果を得ることができる。また、第２実施形態で説明した突出部分２１ａ-1〜２１ａ-3の構成を第３実施形態に係る収納袋２０-2に採用しても構わない。
【図面の簡単な説明】
【００３４】
【図１】イージーピールオープン機能を有する従来の収納袋を表側から見た図である。
【図２】図１に示した収納袋の切り取り開封と剥離開封の説明図である。
【図３】本発明を第１実施形態に係る収納袋を表面側から見た図である。
【図４】図３に示した収納袋を裏面側から見た図である。
【図５】図３及び図４に示した収納袋の非シール部の斜視図である。
【図６】図３及び図４に示した収納袋の製造方法の説明図である。
【図７】図３及び図４に示した収納袋の剥離開封の説明図である。
【図８】図３及び図４に示した収納袋の剥離開封の説明図である。
【図９】本発明の第２実施形態に係る収納袋を表面側から見た図である。
【図１０】図９に示した収納袋を裏面側から見た図である。
【図１１】図９に示した突出部分の変形例を示す図である。
【図１２】本発明の第３実施形態に係る収納袋の斜視図である。
【符号の説明】
【００３５】
２０…収納袋、２０ａ…湾曲凹部、２０ｂ…湾曲凸部、２１…表側フィルム、２１ａ…突出部分、２１ｂ…非シール部、２２…裏側フィルム、２２ａ…非シール部、２３ａ〜２３ｄ…シール部，２４…ノッチ、Ｃ…内容物、２０-1…収納袋、２１ａ-1，２１ａ-2，２１ａ-3…突出部分、２０-2…収納袋。
【図１】
2005138862.tif 000003
【図２】
2005138862.tif 000004
【図３】
2005138862.tif 000005
【図４】
2005138862.tif 000006
【図５】
2005138862.tif 000007
【図６】
2005138862.tif 000008
【図７】
2005138862.tif 000009
【図８】
2005138862.tif 000010
【図９】
2005138862.tif 000011
【図１０】
2005138862.tif 000012
【図１１】
2005138862.tif 000013
【図１２】
2005138862.tif 000014